(57)【要約】【課題】従来に比して一段と簡易にベルト本体の裏面と表面とを使い分けることができるベルトを提案する。【解決手段】ベルト本体２の一端にバックル３が保持されてなるベルト１において、前記バックル３は、ベルト本体２の他端側に設けられたピン孔に挿通されるピン５がベルトループ４に回動自在に設けられ、ピン５は、付け根の箇所にピン５を先端側に付勢するバネが設けられ、このバネによる付勢により、ピン５の先端がベルトループ４に当接して、ピン５がベルトループ４の裏面側に回動困難とされる。またばねによる付勢に抗してピン５を押圧してピン５の先端を変位させることにより、ピン５を裏面側に回動可能とされる。【選択図】図１
0003185813.tif 000002
【実用新案登録請求の範囲】
【請求項１】
ベルト本体の一端にバックルが保持されてなるベルトにおいて、
前記バックルは、
前記ベルト本体の他端側に設けられたピン孔に挿通されるピンがベルトループの枠体部に対して回動自在に設けられ、
前記ピンは、
付け根の箇所に前記ピンを先端側に付勢するバネが設けられ、
前記バネによる付勢により、前記ピンの先端がベルトループの対向する部位に当接して、前記ベルトループの裏面側に回動困難とされ、
前記ばねによる付勢に抗して前記ピンを押圧して前記ピンの先端を変位させることにより、裏面側に回動可能とされた
ベルト。
【請求項２】
前記ピンは、
先端側が平板形状であり、当該ピンの延長方向の中心軸を中心にして回転自在に保持され、
前記ベルトループは、
前記ピンの先端が当接する部位には、前記ピンの先端をガイドする凹部が両面に形成されており、
前記ピンの先端の平板形状の部位に対応して、前記両面の凹部を接続する凹溝が形成されており、
前記バックルは、
前記ベルトループを正面視して前記ピンの先端が幅狭となるように、前記ピンを回転させた後、前記ばねによる付勢に抗して前記ピンを押圧して前記ピンの先端を変位させることにより、前記先端側の平板形状の部位が前記凹溝を通過可能となって、前記ピンを裏面側に回動可能とされ、
前記ベルトループを正面視して前記ピンの先端が幅広となるように、前記ピンを回転させた場合、前記ばねによる付勢に抗して前記ピンを押圧して前記ピンの先端を変位させるようにしても、前記ピンの平板形状の部位が前記凹部に当接して、前記ピンが前記ベルトループの裏面側に回動困難とされる
請求項１に記載のベルト。
【考案の詳細な説明】
【技術分野】
【０００１】
本考案は、いわゆるリバーシブルベルトに関し、特にベルト本体の裏面と表面とを簡易に使い分けることができるようにする。
【背景技術】
【０００２】
従来より、ベルト本体の裏面と表面とを使い分けるリバーシブルベルトが種々に提供されている。ここで従来のリバーシブルベルトは、ベルト本体から簡易に取り外し可能にバックルが構成され、必要に応じてベルト本体からバックルを取り外した後、ベルト本体を裏返してバックルを付け直すことにより、ベルト本体の裏面及び表面を使い分けることができるように構成されている。
【０００３】
このようなリバーシブルベルトに関して特許文献１には、ベルト本体のピン孔に挿通されるピンと、当該ピンを保持する軸部との工夫により、ベルトループの表面側と裏面側とにそれぞれ選択的にピンを配置可能とし、これによりベルト本体の裏面及び表面を簡易に使い分ける工夫が提案されている。
【先行技術文献】
【特許文献】
【０００４】
【特許文献１】実用新案登録第３１７４５号公報
【考案の概要】
【考案が解決しようとする課題】
【０００５】
しかしながら特許文献１に開示の構成では、いちいち特定箇所までピンを引き起こして操作することが必要であり、使い勝手の点で実用上未だ不十分な問題がある。
【０００６】
本考案は以上の点を考慮してなされたもので、従来に比して一段と簡易にベルト本体の裏面と表面とを使い分けることができるベルトを提案することを目的とする。
【課題を解決するための手段】
【０００７】
（１）  ベルト本体の一端にバックルが保持されてなるベルトにおいて。
前記バックルは、
前記ベルト本体の他端側に設けられたピン孔に挿通されるピンがベルトループの枠体部に対して回動自在に設けられ、
前記ピンは、
付け根の箇所に前記ピンを先端側に付勢するバネが設けられ、
前記バネによる付勢により、前記ピンの先端がベルトループの対向する部位に当接して、前記ベルトループの裏面側に回動困難とされ、
前記ばねによる付勢に抗して前記ピンを押圧して前記ピンの先端を変位させることにより、裏面側に回動可能とされた。
【０００８】
（１）によれば、ピンの押圧によりピンを裏側に回動させることができることにより、従来に比して一段と簡易にベルト本体の裏面と表面とを使い分けることができる。
【０００９】
（２）  （１）において、
前記ピンは、
先端側が平板形状であり、当該ピンの延長方向の中心軸を中心にして回転自在に保持され、
前記ベルトループは、
前記ピンの先端が当接する部位には、前記ピンの先端をガイドする凹部が両面に形成されており、
前記ピンの先端の平板形状の部位に対応して、前記両面の凹部を接続する凹溝が形成されており、
前記バックルは、
前記ベルトループを正面視して前記ピンの先端が幅狭となるように、前記ピンを回転させた後、前記ばねによる付勢に抗して前記ピンを押圧して前記ピンの先端を変位させることにより、前記先端側の平板形状の部位が前記凹溝を通過可能となって、前記ピンを裏面側に回動可能とされ、
前記ベルトループを正面視して前記ピンの先端が幅広となるように、前記ピンを回転させた場合、前記ばねによる付勢に抗して前記ピンを押圧して前記ピンの先端を変位させるようにしても、前記ピンの平板形状の部位が前記凹部に当接して、前記ピンが前記ベルトループの裏面側に回動困難とされる。
【００１０】
（２）によれば、特定の角度にピンが回転された状態でのみ押圧により裏面側にピンを回動可能とすることにより、予定外にピンが裏面側に回動しないようにすることができ、一段と使い勝手を向上することができる。
【考案の効果】
【００１１】
本考案によれば、従来に比して一段と簡易にベルト本体の裏面と表面とを使い分けることができる。
【図面の簡単な説明】
【００１２】
【図１】本考案の第１実施形態のベルトを示す斜視図である。
【図２】図１のベルトの裏面側を示す平面図である。
【図３】図１のベルトのピンを示す断面図である。
【図４】本考案の第２実施形態のベルトを示す斜視図である。
【図５】図４のベルトの裏面側を示す平面図である。
【図６】図４のベルトのピンを示す斜視図である。
【考案を実施するための形態】
【００１３】
以下、本考案の実施形態について図面を参照しながら詳述する。
【００１４】
〔第１実施形態〕
図１は、本考案の第１実施形態に係るベルトについて、バックルの部分を拡大して示す斜視図である。このベルト１は、帯状により形成されたベルト本体２の１方の端部にバックル３が設けられ、他方の端部には、このバックル３のベルトループ４に挿通してピン５を差し込むピン孔が一定の間隔で設けられる。
【００１５】
バックル３は、ベルトループ４が矩形の枠形状により形成され、コの字形状による枠体部４Ｂの開口側に軸部４Ａを配置して形成される。ベルト本体２は、この矩形の枠形状による軸部４Ａに巻き付くように、１方の側の端部が折り返されて縫い合わされることにより、ベルトループ４が回動自在にベルト本体２の一端に保持される。バックル３は、このようにベルト本体２を縫い合わせて軸部４Ａに巻き付く部位のほぼ中央の部位に切欠きが形成され、軸部４Ａのほぼ中央に回動自在に保持されたピン５が、この切欠きの部位より飛び出すように配置される。またバックル３は、このピン５が回動した際に、このピン５の先端が、ベルトループ４の、軸部４Ａに対向する枠体部４Ｂの部位に当接するように形成され、この当接する部位に、ピン５の先端をガイドする凹部６Ａが形成される。これによりベルト１は、一般的なベルトと同様に、例えばズボンに設けられベルト通しにベルト本体２を順次差し込んでベルト本体２の一端及びバックル３を体の正面に持ち来し、この一端を下側からベルトループ４にくぐらせて所望のピン孔にピン５を差し込んだ後、この一端をベルト留め７に潜らせて装着することができる。
【００１６】
さらにバックル３は、図１との対比により図２に裏面側から見た図を示すように、凹部６Ａに対応する裏面側の部位に、同一形状による凹部６Ｂが設けられ、これによりベルトループ４の両面に凹部６Ａ及び６Ｂが設けられる。
【００１７】
バックル３は、このベルトループ４の両面の凹部６Ａ及び６Ｂの構成に対応してピン５が構成される。
【００１８】
ここで図３に断面を取って示すがように、ピン５は、付け根部分の部位５Ａが断面矩形形状による柱形状により形成され、この付け根部分の部位５Ａに設けられた貫通孔を貫通するように軸部４Ａが設けられ、これによりベルトループ４の枠体部４Ｂに対して回動自在に軸部４Ａに保持される。またピン５は、先端側部位５Ｂが略円柱形状により形成され、この先端側部位５Ｂが付け根部分の部位５Ａの先端に設けられた貫通孔より突出するように保持される。この先端側部位５Ｂは、付け根部分につばが設けられ、このつばの部位が貫通孔の周囲の部位に当接することにより、脱落しないように保持される。
【００１９】
このようにして付け根部分の部位５Ａより先端側部位５Ｂが突出するように形成されて、ピン５は、付け根部分の部位５Ａに収納されたコイルバネ８により押圧されて先端側に付勢されて保持される。これによりピン５は、このコイルバネ８による付勢に抗するように付け根側に押圧すると、矢印Ａにより示すように収縮するように構成される。
【００２０】
ここでこのようにしてコイルバネ８による付勢に抗するように付け根側に押圧して収縮すると、ピン５は、裏面側に回動させた場合に、凹部６Ａに当接しなくなるように、この押圧による収縮量が調整されている。
【００２１】
これによりこのベルト１では、ピン５の押圧によりピン５を収縮させると、ピン５をベルトループ４の裏側に回動させることができ、これにより単にピン５を押圧して裏面側に回動させるだけの簡易な操作によりリバーシブルにベルト１を使用することができる。
【００２２】
この実施形態では、ピン５を先端側にバネ８により付勢するようにして、このばね８による付勢に抗してピン５を押圧してピン５の先端を軸部側に変位させることにより、ピン５を裏面側に回動可能とすることにより、単にピン５を押圧して裏面側に回動させるだけの簡易な操作によりリバーシブルにベルト１を使用することができ、これにより従来に比して一段と簡易にベルト本体の裏面と表面とを使い分けることができる。
【００２３】
〔第２実施形態〕
図４は、図１との対比により本考案の第２実施形態に係るベルトを示す図である。このベルト１１は、ベルト本体１２をバックル１３に接続して形成され、バックル１３は、ベルト本体１２の端部を挟持してベルト本体１２を保持する爪止め部分１１Ａが設けられる。またこの爪止め部分１１Ａに、金属製の枠体によりベルト留め１７が設けられる。
【００２４】
バックル１３は、ベルトループ１４が枠形状により形成され、コの字形状による枠体部１４Ｂの開口側に軸部１４Ａを配置して形成される。バックル１３は、この軸部１４Ａに、爪止め部分１１Ａと、ピン１５とが回動自在に設けられる。またベルトループ１４には、枠体部１４Ｂの表側面にピン１５の先端が当接する凹部１６Ａが設けられ、また枠体部１４Ｂの裏面には、図５に示すように、この凹部１６Ａに対応して凹部１６Ｂが設けられる。これによりこのベルト１１にあっても、一般のベルトと同様に、例えばズボンに設けられベルト通しにベルト本体１２を順次差し込んでベルト本体１２の一端及びバックル１３を体の正面に持ち来し、この一端を下側からをベルトループ１４にくぐらせて所望のピン孔にピン１５を差し込んだ後、この一端をベルト留め１７に潜らせて装着することができる。
【００２５】
さらにバックル１３は、この凹部１６Ａ及び１６を接続するように、厚み方向に延長する凹溝１８が設けられる。またバックル１３は、付け根部分の部位１５Ａから先端側部位１５Ｂが突出するように、また先端側に脱落しないように形成されて、付け根部分の部位１５Ａに収納されたバネによりこの先端側に付勢されるように形成される。
【００２６】
バックル１３は、このバネにより付勢されて先端側に飛び出した状態で、ピン１５の先端が凹部１６Ｂに当接するように形成され、これにより上述したように、通常のベルトとして使用できるように構成される。
【００２７】
またこのようにしてバネにより付勢した状態で、バネによる付勢に抗するように押圧すると、ピン１５の先端が付け根側に変位するものの、この実施形態では、このようにピン１５の先端が付け根側に変位させ、裏面側へピン１５を回動させようとしても、ピン１５の先端が凹部１６Ａに当接して回動困難となるように構成される。これによりこの実施形態では、ピン１５を誤って押圧した場合には、ピン１５が裏面側に回動しないよう設定され、これにより一段と使い勝手を向上することができる。
【００２８】
ここでピン１５は、その先端側部位１５Ｂが先端側に向かって徐々に断面円形形状から平板形状と変化するように形成されて、先端側では平板形状により形成される。またピン１５は、この先端側部位１５Ｂがその延長方向に係る中心軸を回転中心にして回転できるように構成される。またこのように回転可能に構成されて、正面視して先端が幅狭になるようにピン１５を回転させた場合（図６に示す状態である）、ピン１５の押圧によりピン１５の先端が凹溝１８を通過して裏面側に回動できるように構成される。
【００２９】
これによりこの実施形態では、ピン１５を９０度回転させた後、ピン１５を押圧して収縮させた状態で、ピン１５を裏面側に回動させることができ、これによりベルト１１をリバーシブルにより使用して従来に比して一段と簡易にベルト本体の裏面と表面とを使い分けることができる。
【００３０】
以上の構成によれば、ピンを回転可能に構成し、特定の角度に回転させた状態でのみ押圧により裏面側にピンを回動するしても、第１実施形態と同様の効果を得ることができる。
【００３１】
またこのように特定の角度に回転させた状態でのみ押圧により裏面側にピンを回動可能とすることにより、ピンが裏面側に予想外に回動しないようにすることができ、一段と使い勝手を向上することができる。
【００３２】
〔第３実施形態〕
この実施形態では、第１及び第２実施形態において、ベルト本体２、１２を交換可能に構成する。より具体的には、バックル３、１３の端部（ベルト本体２、１２側）にベルト本体を交換可能とする爪止め部を設け、これによりベルト本体２、１２を交換可能する。
【００３３】
この実施形態ではベルト本体の裏面と表面とを使い分けることができるようにして、さらにベルト本体を交換可能とすることにより、一段と種々にベルト本体を種々に選択することができ、一段と利便性を向上することができる。
【００３４】
〔他の実施形態〕
以上、本考案の実施に好適な具体的な構成を詳述したが、本考案は、本考案の趣旨を逸脱しない範囲で、上述の実施形態の構成を種々に組み合わせたり、変更したりすることができる。
【００３５】
すなわち上述の実施形態では、ベルトループに設けられた軸部に回動自在にピンを保持することにより、ベルトループの枠体部に対して回動自在にピンを設ける場合について述べたが、本考案はこれに限らず、枠体部に対して回動自在に軸部を設け、これによりベルトループに対して回動自在にピンを設けるようにしてもよい。
【００３６】
また上述の実施形態では、ピン側であるピン付けね部分の部位にコイルバネを収納してピンを付勢する場合について述べたが、本考案はこれに限らず、ベルト留め１７（図６）を設けた部位にコイルバネを設けるようにして、このコイルバネにより付勢するようにしてもよい。
【００３７】
また上述の実施形態では、矩形の枠形状によりベルトループを構成する場合について述べたが、本発明はこれに限らず、枠体部を円弧形状により作成する場合等に広く適用することができる。
【符号の説明】
【００３８】
１、１１  ベルト
２、１２  ベルト本体
３、１３  バックル
４、１４  ベルトループ
４Ａ、１４Ａ  軸部
４Ｂ、１４Ｂ  枠体部
５、１５  ピン
５Ａ、１５Ａ  付け根の部分
５Ｂ、１５Ｂ  先端側部位
６Ａ、６Ｂ、１６Ａ、１６Ｂ  凹部
７、１７  ベルト留め
８  コイルバネ
１８  凹溝
【図１】
0003185813.tif 000003
【図２】
0003185813.tif 000004
【図３】
0003185813.tif 000005
【図４】
0003185813.tif 000006
【図５】
0003185813.tif 000007
【図６】
0003185813.tif 000008